(57)【特許請求の範囲】
【請求項１】
コンピュータの固定板を有するコンピュータ本体と、前記コンピュータ本体に位置変更可能に接続されたスクリーンとを含むノート型コンピュータであって、
前記コンピュータ本体には拡張カード押圧機構が設けられ、
前記コンピュータ本体には空洞部がさらに設けられ、
前記コンピュータ本体の一側面には弾出ボックスが設けられており、
前記固定板の一平面には前記一平面の面内方向に平行な一方向に沿って拡張カードを装着することが可能なカセットが設けられており、
前記拡張カード押圧機構は、前記拡張カードを前記カセットに装着する装着方向に沿って前記カセットと並んで配置され、前記装着方向に沿って前後移動が可能で且つ前記カセットに装着された前記拡張カードを前記カセットに向かって押圧する押圧片を含み、
前記コンピュータ本体の端面には前記空洞部の開口が設けられ、
前記弾出ボックスは前記コンピュータ本体に対して移動可能に接続され、前記弾出ボックスにはアンテナが設けられていることを特徴とするノート型コンピュータ。
【請求項２】
前記拡張カード押圧機構は、前記コンピュータ本体に取り付けられた支持板をさらに含み、前記押圧片は前記支持板に対して移動可能に取り付けられ、前記支持板には前記コンピュータの前記固定板と連結するための固定機構が設けられていることを特徴とする請求項１に記載のノート型コンピュータ。
【請求項３】
前記押圧片には細長形状のスライド穴が設けられ、前記支持板にはネジ穴が設けられ、前記細長形状のスライド穴の位置が前記ネジ穴の位置に対応し、前記スライド穴を通過した締付ボルトが前記ネジ穴に固定されていることを特徴とする請求項２に記載のノート型コンピュータ。
【請求項４】
前記押圧片は、前記拡張カードの前記装着方向に前記拡張カードを押圧するパッドが設けられ、前記支持板は少なくとも２つの段差を有する段差構造を有し、段差の表面ごとに前記押圧片が設けられていることを特徴とする請求項３に記載のノート型コンピュータ。
【請求項５】
前記コンピュータ本体には、さらに弾き出し装置とスライド機構とが設けられ、前記弾出ボックスは前記スライド機構内でスライドすることができ、前記スライド機構は第１シュートと第２シュートとを含み、前記弾出ボックスには、前記第１シュート内に配置される第１スライダと、前記第２シュート内に配置される第２スライダとが設けられており、前記弾き出し装置は、弾き出し機構と、前記弾き出し機構と共に使用されるスイッチ係合機構とを含み、前記スイッチ係合機構が前記弾き出し機構を制御して弾出ボックスを弾き出すことを特徴とする請求項１又は４に記載のノート型コンピュータ。
【請求項６】
前記弾き出し機構は、一端が前記弾出ボックスの下端に取り付けられ、他端が前記コンピュータ本体内部に取り付けられた第１バネを含み、前記弾出ボックスが閉状態のときに前記第１バネは圧縮状態であることを特徴とする請求項５に記載のノート型コンピュータ。
【請求項７】
前記スイッチ係合機構は、第２バネと、係止片と、開閉操作ボタンと、カードスロットとを含み、前記開閉操作ボタンが前記第２シュートに取り付けられ、前記第２バネが前記開閉操作ボタンと前記第２シュートとの間に取り付けられ、前記開閉操作ボタンが前記第２バネを圧縮すること及び前記第２バネによって弾き出ることができ、前記カードスロットが前記第２スライダに設けられ、前記係止片が前記カードスロットに係止され、前記開閉操作ボタンが押下されると、前記係止片と前記カードスロットが分離して、前記弾出ボックスが弾き出されることを特徴とする請求項６に記載のノート型コンピュータ。
【請求項８】
前記カードスロットは第１カードスロットと第２カードスロットとを含み、前記弾出ボックスが閉状態のときに前記係止片が前記第１カードスロットに係止し、前記弾出ボックスが開状態のときに前記係止片が前記第２カードスロットに係止することを特徴とする請求項７に記載のノート型コンピュータ。
【請求項９】
前記コンピュータ本体には、前記第２シュートに取り付けられたダンパと、前記弾出ボックスに取り付けられたラックとがさらに設けられており、前記ダンパにはギアが設けられ、前記ギアと前記ラックとを係合させて使用されることを特徴とする請求項８に記載のノート型コンピュータ。
【請求項１０】
前記空洞部内には、マザーボードに接続された端子インターフェイスが設けられ、ノート型コンピュータは前記空洞部の開口と組み合わされた蓋体をさらに含むことを特徴とする請求項１又は９に記載のノート型コンピュータ。
【発明の詳細な説明】
【技術分野】
【０００１】
本発明はコンピュータ分野に関し、特にノート型コンピュータに関する。
【背景技術】
【０００２】
既存のノート型コンピュータのアンテナはコンピュータに内蔵されている。コンピュータケースはアンテナに対するバリアにならないため、アンテナの動作に影響はないが、防水性、防塵性、耐落下衝撃性を有するノート型コンピュータはシール性及びバリア性が非常に強い。そのため、コンピュータに内蔵されたアンテナがバリアされることが発生し、アンテナの送受信機能に影響を及ぼし、コンピュータの正常動作に影響を及ぼすことがある。
【０００３】
ところで、機能への要求が高くなることに伴い、コンピュータの内部に、例えばグラフィックスカード、メモリチップ等複数の拡張カードがとりつけられることがある。携帯型コンピュータは、作業上の必要があれば移動又は運搬させることがあり、移動又は運搬の過程で一定の振動が生じた場合、拡張カードが緩んで抜けることもあり得る。それによってコンピュータの次回の使用に悪影響が生じて作業に不都合が起こる。また、既存のコンピュータには余分なスペースがないため、ハードディスク又は拡張インターフェイス等他の付属ハードウェアを追加することができない。
【発明の概要】
【発明が解決しようとする課題】
【０００４】
既存技術における問題を解決するため、本発明は、拡張カード押圧機構と、アンテナが設けられた弾出ボックスと、拡張スペースとを有する特別なコンピュータを提供する。
【課題を解決するための手段】
【０００５】
本発明は、コンピュータの固定板を有するコンピュータ本体と、前記コンピュータ本体に位置変更可能に接続されたスクリーンとを含むノート型コンピュータであって、前記コンピュータ本体には拡張カード押圧機構が設けられ、前記コンピュータ本体には空洞部がさらに設けられ、前記コンピュータ本体の一側面には弾出ボックスが設けられており、前記固定板の一平面には前記一平面の面内方向に平行な一方向に沿って拡張カードを装着することが可能なカセットが設けられており、前記拡張カード押圧機構は、前記拡張カードを前記カセットに装着する装着方向に沿って前記カセットと並んで配置され、前記装着方向に沿って前後移動が可能で且つ前記カセットに装着された前記拡張カードを前記カセットに向かって押圧する押圧片を含み、前記コンピュータ本体の端面には前記空洞部の開口が設けられ、前記弾出ボックスは前記コンピュータ本体に対して移動可能に接続され、前記弾出ボックスにはアンテナが設けられている。
【０００６】
本発明をさらに改善したものとして、前記拡張カード押圧機構は、コンピュータ本体に取り付けられた支持板をさらに含み、前記押圧片は前記支持板に対して移動可能に取り付けられ、前記支持板には前記コンピュータの前記固定板と連結するための固定機構が設けられている。
【０００７】
本発明をさらに改善したものとして、前記押圧片には細長形状のスライド穴が設けられ、前記支持板にはネジ穴が設けられ、前記スライド穴の位置が前記ネジ穴の位置に対応し、前記スライド穴を通過した締付ボルトが前記ネジ穴に固定されている。
【０００８】
本発明をさらに改善したものとして、前記押圧片は、前記拡張カードの前記装着方向に前記拡張カードを押圧するパッドが設けられ、前記支持板は少なくとも２つの段差を有する段差構造を有し、段差の表面ごとに前記押圧片が設けられている。
【０００９】
本発明をさらに改善したものとして、前記コンピュータ本体には、さらに弾き出し装置とスライド機構とが設けられ、前記弾出ボックスは前記スライド機構内でスライドすることができ、前記スライド機構は第１シュートと第２シュートとを含み、前記弾出ボックスには、前記第１シュート内に配置される第１スライダと、前記第２シュート内に配置される第２スライダとが設けられており、前記弾き出し装置は、弾き出し機構と、前記弾き出し機構と共に使用されるスイッチ係合機構とを含み、前記スイッチ係合機構が前記弾き出し機構を制御して弾出ボックスを弾き出す。
【００１０】
本発明をさらに改善したものとして、前記弾き出し機構は、一端が前記弾出ボックスの下端に取り付けられ、他端が前記コンピュータ本体内部に取り付けられた第１バネを含み、前記弾出ボックスが閉状態のときに前記第１バネは圧縮状態である。
【００１１】
本発明をさらに改善したものとして、前記スイッチ係合機構は、第２バネと、係止片と、開閉操作ボタンと、カードスロットとを含み、前記開閉操作ボタンが前記第２シュートに取り付けられ、前記第２バネが前記開閉操作ボタンと前記第２シュートとの間に取り付けられ、前記開閉操作ボタンが前記第２バネを圧縮すること及び前記第２バネによって弾き出ることができ、前記カードスロットが前記第２スライダに設けられ、前記係止片が前記カードスロットに係止され、前記開閉操作ボタンが押下されると、前記係止片と前記カードスロットが分離して、弾出ボックスが弾き出される。
【００１２】
本発明をさらに改善したものとして、前記カードスロットは第１カードスロットと第２カードスロットとを含み、弾出ボックスが閉状態のときに前記係止片が前記第１カードスロットに係止し、前記弾出ボックスが開状態のときに前記係止片が前記第２カードスロットに係止する。
【００１３】
本発明をさらに改善したものとして、前記コンピュータ本体には、前記第２シュートに取り付けられたダンパと、前記弾出ボックスに取り付けられたラックとがさらに設けられており、前記ダンパにはギアが設けられ、前記ギアと前記ラックとを係合させて使用される。
【００１４】
本発明をさらに改善したものとして、前記空洞部内には、マザーボードに接続された端子インターフェイスが設けられ、ノート型コンピュータは前記空洞部の開口と組み合わされた蓋体をさらに含む。
【発明の効果】
【００１５】
本発明の有益な効果は、押圧片が拡張カードを押圧することによって拡張カードがより強固に固定されて緩んで抜けることが生じず、弾出ボックスにアンテナが設けられ且つ弾出ボックスの弾き出しができることによってノート型コンピュータの信号の送受信を保証することができ、空洞部内に新たなハードウェアを追加してマザーボードに接続することができることにより、コンピュータの応用を拡張し、ユーザにとって利便性が高くなる。
【図面の簡単な説明】
【００１６】
【図１】本発明に係るノート型コンピュータ全体構造の模式図である。
【図２】本発明に係るノート型コンピュータ構造のブロック図である。
【図３】本発明に係るノート型コンピュータの拡張カード押圧機構構造の模式図である。
【図４】本発明に係るノート型コンピュータの拡張カード押圧機構の動作状態構造の模式図である。
【図５】本発明に係るノート型コンピュータの弾出ボックスの取り付け位置の模式図である。
【図６】本発明に係るノート型コンピュータの弾出ボックスの取り付け後の全体構造の模式図である。
【図７】本発明に係るノート型コンピュータの弾出ボックスの分解構造の模式図である。
【発明を実施するための形態】
【００１７】
図１〜図７に示すように、本発明は、コンピュータ本体１と、コンピュータ本体１に位置変更可能に接続されたスクリーン２とを含むノート型コンピュータを開示する。コンピュータ本体１は、拡張カード押圧機構を内蔵し、さらにコンピュータ本体は空洞部も内蔵している。コンピュータ本体の一側面には、弾出ボックス４２が設けられている。拡張カード押圧機構は、拡張カードの装着方向に沿って前後移動が可能で且つ拡張カードを押圧する押圧片を含む。空洞部には開口が設けられ、この開口はコンピュータ本体の端面に位置している。弾出ボックスはコンピュータ本体に対して移動可能に接続され、弾出ボックスにはアンテナが設けられている。
【００１８】
拡張カード押圧機構は、押圧片３１と支持板３２とを含み、押圧片３１は支持板３２に取り付けられている。拡張カード３４は、拡張カード３４の装着方向に沿って押圧片３１によって押圧され得る。さらに、押圧片３１は、拡張カード３４の取り付け方向に沿って前後へ移動することができる。
【００１９】
支持板３２と押圧片３１との接続個所には、２つのスライド穴３１１が設けられている。スライド穴３１１は、細長形状を有している。支持板３２の２つのスライド穴３１１に対応する位置には、２つのネジ穴が設けられている。スライド穴３１１を通過した締付ボルト３６がネジ穴内に挿入されてネジ留めされている。スライド穴３１１が細長形状であるため、締付ボルト３６が硬く締め付けられていないときには、押圧片３１は締付ボルト３６をガイドとして支持板３２に対して前後に移動することができる。
【００２０】
拡張カード３４を取り付ける場合、まず締付ボルト３６を緩め、押圧片３１を拡張カード３４の装着方向について拡張カード３４から最も離れた位置（最遠端）に置き、それから拡張カード３４をカセット３９に装着し、その後押圧片３１が拡張カード３４を押圧するように押圧片３１を移動させ、最後に締付ボルト３６を硬く締結する。これにより、拡張カード３４が押圧片３１によって固定され、コンピュータの振動によって緩むことも抜けることもなく、コンピュータの稼動状態が保証される。
【００２１】
拡張カード押圧機構は、押圧片３１に取り付けられたパッド３３を含む。パッド３３を介して押圧片３１が拡張カード３４を押圧する。パッド３はゴムパッドであって緩衝作用を発揮し、コンピュータの激しい振動のため拡張カードを破損させることがない。パッド３には、複数の拡張カード３４の変位を制限するために複数の溝３３１が設けられている。溝３３１内に拡張カード３４が位置することによって飛び出しを防止する。複数の溝３３１によって、互いに異なる高さをもつ複数の拡張カード３４を押圧することができる。
【００２２】
支持板３２は、少なくとも２つの段差を有する段差構造を有している。そして、段差の表面ごとに押圧片３１が設けられている。現在、コンピュータの性能に対する要求が高まる一方であるため、コンピュータに装着される拡張カードもより多くなり、複数の拡張カードを固定する必要がある。段差構造の支持板３２は異なる高さの複数の拡張カードを押圧することができて、異なる高さの拡張カードに対応して支持板３２を新しく取り付ける必要がなく、取り付けスペースと作業量を節約することができる。
【００２３】
さらに、支持板３２には、コンピュータの固定板３５と連結するための固定機構が設けられている。本実施例において、支持板３２に設けられた固定機構はボルト穴３８である。一方、コンピュータの固定板３５には、ボルト穴３８に対応する固定ネジ穴が設けられている。支持板３２は、固定ボルト３７によってコンピュータの固定板３５に固定されている。
【００２４】
押圧片３１は、拡張カード３４の装着方向に拡張カード３４を押圧し、それによりコンピュータの移動又は運搬過程において拡張カードが緩むことも抜けることも発生せず、コンピュータの正常な使用に影響を与えない。
【００２５】
コンピュータ本体１には弾き出し装置がさらに設けられている。また、弾出ボックス４２がコンピュータ本体１に対して移動可能に接続されている。そして、コンピュータ本体１から弾き出し装置によって弾出ボックス４２を弾き出すことができる。弾出ボックス４２にはアンテナが設けられている。
【００２６】
弾出ボックス４２はコンピュータ本体１に取り付けられる。そして、コンピュータ本体１にはスライド機構が設けられている。スライド機構は、第１シュート４１１と第２シュート４１２とを含む。弾出ボックス４２には第１スライダと第２スライダ４２１が設けられ、第１スライダは第１シュート４１１内に配置され、第２スライド４２１は第２シュート４１２内に配置されている。これにより弾出ボックス４２はコンピュータ本体１の中で前後方向にスライド移動することができる。弾出ボックス４２にアンテナが設けられているため、アンテナを弾き出すことによって、アンテナによって送受信される信号を増強することができる。
【００２７】
弾き出し装置は、弾き出し機構と、弾き出し機構の動作を制御するスイッチ係合機構とを含む。弾き出し機構は、弾出ボックス４２の下端に取り付けられた第１バネ４３１を含む。第１バネ４３１の一端はコンピュータ本体１に取り付けられ、他端は弾出ボックス４２に固定されている。弾出ボックス４２が閉状態のとき、第１バネ４３１は収縮状態であり、弾出ボックス４２を弾き出すためにスイッチ係合機構が弾き出し機構を制御するとき、第１バネ４３によって弾出ボックス４２が弾き出される。
【００２８】
スイッチ係合機構は、第２バネ４４４と、係止片４４３と、開閉操作ボタン４４２と、カードスロットとを含む。開閉操作ボタン４４２は第２シュート４１２に取り付けられ、係止片４４３の開閉を制御する。
【００２９】
第２バネ４４４は開閉操作ボタン４４２と第２シュート４１２との間に配置されている。これによって、開閉操作ボタン４４２が押下された後に開閉操作ボタン４４２が弾き出されることで元の状態に戻すことができて、次回の継続動作が便利になる。
【００３０】
係止片４４３は、第２シュート４１２に回転可能に取り付けられている。係止片４４３と第２シュート４１２との間には、係止片４４３を引っ張って開閉操作ボタン４４２に付着させるための第３バネが配置されている。
【００３１】
カードスロットは、弾出ボックス４２の第２スライダ４２１に設けられており、第１カードスロット４２１１と第２カードスロット４２１２とを含む。弾出ボックス４２が閉状態であり且つ開閉操作ボタン４４２が押下されていないとき、係止片４４３は第１カードスロット４２１１に係止している。そして、開閉操作ボタン４４３が押下されたとき、係止片４４３は第１カードスロット４２１１から分離するため、弾出ボックス４２が弾き出される。開閉操作ボタン４４３は、押下が解除された後、第２バネ４４４の作用によって元の状態に戻る。このとき係止片４４３は第３バネの作用によって開閉操作ボタンに付着する。また、係止片４４３が第２カードスロット４２１２に係止することで、弾出ボックス４２がさらに弾き出されるのを防止する。
【００３２】
さらに、コンピュータ本体１にはダンパ４５１とラック４５２とが設けられている。ダンパ４５１は第２シュート４１２に取り付けられている。ダンパ４５１の上端にはギアが設けられている。ラック４５２は、弾出ボックス４２に取り付けられている。そして、ラック４５２とギアとが係合しており、弾出ボックス４２が弾き出される際、ダンパ４５１は弾き出し速度を減少させる機能を果たす。これによって、弾出ボックス４２が保護され、弾き出し速度が速すぎて部品が破損するのを防止することができる。
【００３３】
ノート型コンピュータが動作する際において、アンテナを有する弾出ボックスを弾き出し、アンテナが受送信する信号を増強し、コンピュータ自体の密閉性のため信号を弱めるなどの問題が生じることがなく、弾出ボックスの弾き出しがより便利になり、作業する必要がないときには弾出ボックスを閉状態とすることによって、携帯しやすくなり、且つコンピュータの密閉性が保証される。
【００３４】
また、コンピュータ本体１は、マザーボード５４と、マザーボード５４に接続されたインターフェイス５４１とを内蔵している。インターフェイス５４１は空洞部５３内に位置している。
【００３５】
新しく追加するハードウェアが空洞部５３の開口から挿入され、ハードウェアとインターフェイス５４１とが接続されると、便利なハードウェアの機能が実現される。
【００３６】
さらに、ノート型コンピュータは、空洞部５３の開口と組み合わせられた蓋体（カバー）を含む。この蓋体によって、空洞部５３内への塵埃やその他異物の進入が防止される。
【００３７】
また、コンピュータ本体１は、ハードディスク５２１と電池５２２とをさらに内蔵している。
【００３８】
スクリーン２の底部には回転軸５１８が設けられている。回転軸５１８は、スクリーン２が回転できるようにコンピュータ本体１と接続されている。
【００３９】
以上の内容は、具体的な好ましい実施形態を用いて本発明をさらに詳しく説明したものであり、本発明の具体的な実施はこれらの説明に限定されるものではない。本発明に属する技術分野の技術者が本発明の概念の範囲内で行った簡単な演繹や置換は、いずれも本発明の保護範囲に属するとみなすべきである。
【符号の説明】
【００４０】
１  コンピュータ本体
２  スクリーン
３１  押圧片
３２  支持板
３３  パッド
３４  拡張カード
３５  コンピュータの固定板
３６  締め付けボルト
３７  固定ボルト
３８  ボルト孔
３１１  スライド穴
３３１  溝
４１  コンピュータ本体
４２  弾出ボックス
４１１  第１シュート
４１２  第２シュート
４２１  第２スライダ
４２１１  第１カードスロット
４２１２  第２カードスロット
４３１  第１バネ
４４２  開閉操作ボタン
４４３  係止片
４４４  第２バネ
４５１  ダンパ
４５２  ラック
５３  空洞部
５４  マザーボード
５２１  ハードディスク
５２２  電池
５１８  回転軸
５４１  インターフェイス
【図４】
0005946959.tif 000002
【図１】
0005946959.tif 000003
【図２】
0005946959.tif 000004
【図３】
0005946959.tif 000005
【図５】
0005946959.tif 000006
【図６】
0005946959.tif 000007
【図７】
0005946959.tif 000008